(57)【要約】      （修正有）【課題】理想的なゴルフイングの補助の役目を果たす矯正具を提供する。【解決手段】両腕用部材と両太腿部材が中間ポール７を介してそれぞれのボールジョイント８で連結された本考案のゴルフスイング矯正具を装着し、ゴルフスイングを繰り返し反復するとそれぞれのボールジョイント７は人体の間接のように自在に動くが、各部材が上記使用者の体形に合わせ調節しそれぞれのストッパーで固定されているため上記腰の軸を中心とした上半身と下半身の捻転をつくり、その捻転を解きゴルフクラブを振りぬくことができないと上記シャフト７１の溝７６内を転がる球７７が止まり体の動きに制限が加わるためスムースなゴルフスイングができない。この特徴を生かし本考案のゴルフスイング矯正具を装着し繰り返し機械が動くようにゴルフスイングの反復練習を実施すれば短期間に適正なゴルフスイングを体に覚えさせることでゴルフスイング矯正具としての役目を果たす。【選択図】図１
2006263429.tif 000002
【特許請求の範囲】
【請求項１】
使用者が装着する両腕用部材は腕用ストッパー付き伸縮自在ポール（１）の両端にボールジョイント（８、８）を介してそれぞれの腕用ポール（２、２）と連結し、さらに上記腕用ストッパー付き伸縮自在ポール（１）両端の別の位置でボールジョイント（８、８）を介して面ファスナーでリングを形成するように成された腕巻用ベルト（３、３）に連結し、上記腕用ポール（２、２）二本が互いに当接している個所でそれぞれがボールジョイント（８、８）を介して中間ポール（７）の上パイプ（７２）の先端にあるキャップ（７４）に付されている回転自在金具（７５）と連結され、上記使用者が装着する両太腿用部材は太腿用ストッパー付き伸縮自在ポール（４）の両端にボールジョイント（８、８）を介してそれぞれの太腿用ポール（５、５）と連結し、さらに上記太腿用ストッパー付き伸縮自在ポール（４）両端の別の位置でボールジョイント（８、８）を介して面ファスナーでリングを形成するようになされた太腿巻用ベルト（６、６）に連結し、上記太腿用ポール（５、５）二本が互いに当接している個所でそれぞれがボールジョイント（８、８）を介して中間ポール（７）の下パイプ（７３）に付されたキャップ（７４）の一端と連結され、上記両腕用部材と両太腿部材を連結する中間ポール（７）で全体が構成されていることを特徴とするゴルフスイング矯正具。
【請求項２】
上記中間ポール（７）は一本のシャフト（７１）の上下にそれぞれ外側から上パイプ（７２）と下パイプ（７３）を挿入した構造になっていて、このシャフト（７１）の上部周面を上下一周にわたる底面に凹凸のある無端の細長い溝（７６）が穿たれていて、上記シャフト（７１）の溝（７６）内にはめ込まれた球（７７）は上記上パイプ（７２）の一部に設けられた穴に筒状で先端に底面のある押えキャップ（７８）が外側からはめ込まれ保持され、上記下パイプ（７３）の上端には挿入されたシャフト（７１）の伸縮自在部分の長さを所望の位置で調節して固定するストッパー（７９）が設けられていることを特徴とする請求項１記載のゴルフスイング矯正具。
【請求項３】
上記腕用ストッパー付伸縮自在ポール（１）及び太腿用ストッパー付き伸縮自在ポール（４）は使用者が適正なゴルフスイングを求めるため体の動きに制限を加える伸縮自在部をストッパーで固定させる構造となっているが、固定なしの伸縮自在状態でも使用できることを特徴とする請求項１記載のゴルフスイング矯正具。
【発明の詳細な説明】
【技術分野】
【０００１】本発明は使用者が適正なゴルフスイングを習得するためゴルフスイングを実施する際、腰の軸を中心とした上半身と下半身の捻転と、連動を体に伝え覚えさせる反復練習をすることで適正なゴルフスイングの補助の役目を果たすゴルフスイング矯正具に関する（以後、使用者は右利きの対称者とする）。
【背景技術】
【０００２】特開２００４−２２９７５４号公報にはゴルフスイング矯正器具が提案されているが上半身のみの矯正で、上半身と下半身とを連動した動きによる矯正ではない。【０００３】
【特許文献１】２００４−２２９７５４号公報
【発明の開示】
【発明が解決しようとする課題】
【０００４】理想的なゴルフスイングは腰の軸を中心とした上半身と下半身の捻転をつくり、その捻転を解き最大限な遠心力をゴルフクラブに伝達しゴルフボールを正確にしかも如何に遠くに飛ばすかが求められる。人体の間接は各人によって差はあるが体に損傷のない限り自由に動くため、しかも各人にはそれぞれの体格の違い並びに上記大体の間接と年齢差による体の硬軟があってゴルフスイングを反復練習しても一定の形でゴルフスイングを体に覚えさせるのは極めて困難である。従来考案されているゴルフスイング矯正具はいずれも上半身のみの動きに重点がおかれていて、上記腰の軸を中心とした上半身と下半身が捻転し一体となり連動して体に伝達させるゴルフスイングの矯正を行うものではない。
【発明が解決しようとする課題】
【０００５】請求項１記載のゴルフスイング矯正具（以下本発明１という）は使用者が装着する両腕用部材は腕用ストッパー付き伸縮自在ポール１の両端にボールジョイント８、８を介してそれぞれ腕用ポール２、２と連結し、さらに上記腕用ストッパー付き伸縮自在ポール１両端の別の位置でボールジョイント８、８を介して面ファスナーでリングを形成するようにな成された腕用ベルト３、３に連結し、上記腕用ポール２、２二本が互いに当接している個所でそれぞれがボールジョイント８、８を介して中間ポール７の上パイプ７２の先端にあるキャップ７４に付されている回転自在金具７５と連結され、使用者が装着する両太腿用部材は太腿用ストッパー付き伸縮自在ポール４の両端にボールジョイント８、８を介してそれぞれの太腿用ポール５、５と連結し、さらに上記太腿用ストッパー付き伸縮自在ポール４両端の別の位置でボールジョイント８、８を介して面ファスナーでリングを形成するように成された太腿巻用ベルト６、６に連結し、上記太腿用ポール５、５二本が互いに当接している個所でそれぞれがボールジョイント８、８を介して中間ポール７の下パイプ７３に付されたキャップ７４の一端と連結され、上記両腕部材と両太腿部材を連結する中間ポール７で全体が構成されていることを特徴とする。【０００６】請求項２記載のゴルフスイング矯正具（以下本発明２という）は、本発明２の中間ポール７は一本のシャフト７１の上下にそれぞれ外側から上パイプ７２と下パイプ７３を挿入した構造になっていて、このシャフト７１の上部周面を上下一周にわたる底面に凹凸のある無端の細長い溝７６が穿たれていて、上記シャフト７１の溝７６内にはめ込まれた球７７は上記上パイプ７２の一部に設けられた穴に筒状で先端に底面のある押えキャップ７８が外側からはめ込まれ保持され、上記下パイプ７３の上端には挿入されたシャフト自在部分の長さ【０００７】を所望の位置で調節して固定するストッパー７９が設けられていることを特徴とする。
請求項３のゴルフスイング矯正具（以下本発明３という）は、上記腕用ストッパー付伸縮自在ポール１及び太腿用ストッパー付き伸縮自在ポール４は使用者が適正なゴルフスイングを求めるため体の動きに制限を加える伸縮自在部をストッパーで固定させる構造となっているが、固定なしで伸縮自在状態でも使用できることを特徴とする。
【発明の効果】
【０００８】本発明の効果として本発明１を用い使用者がゴルフスイング矯正具を装着しゴルフスイングを実施すると両腕用部材と両太腿用部材が中間ポール７により連携され、腰の軸を中心にした上半身と下半身の捻転と連動を両腕と両太腿に伝達し覚えさせることによって適正なゴルフスイングの補助をする役目を果たす。【０００９】本発明の効果として本発明１を用いればさらに両腕用部材の腕用ストッパー付き伸縮自在ポール１の長さを調節し固定して接続された腕巻ベルト３、３を装着しているため、ゴルフクラブを握った両前腕はゴルフスイングを実施した時、始動から終了までの間三角形を保った状態にある。【００１０】本発明の効果として本発明１を用いればさらに使用者がゴルフスイング矯正具を装着しゴルフスイングを行うと各部材がそれぞれの伸縮自在部を調節しストッパーで固定されているため、それぞれの体の動きに制限が加わる構造になっている。従って腰の軸を中心とした上半身と下半身の捻転をつくり、それを解き適正なゴルフスイングができないとシャフト７１の溝７６内を転がる球７７が止まり体の動きに制限が加わるためスムースなゴルフスイングができない。従って本発明１の特徴を生かし機械と同じようにゴルフスイングを繰り返し反復練習することで上半身と下半身にそれぞれの両腕用部材及び両太腿用部材が中間ポール７と連携し連動を体に伝達し覚えさすことで短期間に適正なゴルフスイングの補助をする役目を果たす。【００１１】本発明の効果として本発明２を用いればさらに両腕用部材と両太腿用部材が中間ポル７の長さを調節しゴルフスイングを実施すれば、上パイプ７２に挿入されたシャフト７１の上部周面を上下一周にわたる底面に凹凸のある溝７６が穿たれている中にはめ込まれた球７７が転がり、腰の軸を中心とした上半身と下半身の捻転をつくり、その捻転を解きゴルフクラブを振りぬくと上記シャフト７１の溝７６内周面を球７７が上下一周することにより上パイプ７２は同時に回転しシャフト７１が伸縮運動を起こしゴルフスイング中それぞれ両腕と両太腿の連動を体に伝達し覚えさせることで適正なゴルフスイングの補助をする役目を果たす。【００１２】本発明の効果として本発明３を用いればさらに腕用ストッパー付伸縮自在ポール１と太腿用ストッパー付き伸縮自在ポール４は使用者が適正なゴルフスイングを求めるため体の動きに制限を加える伸縮自在部をストッパーで固定させる構造となっているが、固定なしの伸縮自在状態でも使用できる。
【発明を実施するための最良の形態】
【実施例１】
【００１３】以下本発明の実施例について図面を用いて説明する。
図１は本発明のゴルフスイング矯正具の実施を示す説明図。
図２−１は中間ポール７外側上パイプ７２内の部分断面図。
図２−２本発明の中間ポール７上パイプ７２に挿入されているシャフト７１上部周面を上下一周にわたる底面に凹凸のある無端の細長い溝７６が穿たれたところを示す部分拡大図。
図３ゴルフスイング矯正具を使用者が装着してゴルフスイングの始動から終了までのそれぞれの動きを▲１▼▲２▼▲３▼の順番に並べた姿図。
【実施例２】
【００１４】図１の使用者が装着するゴルフスイング矯正具はそれぞれの部品の材質は主に塩ビ樹脂が用いられ、両腕用部材は直径２０ｍｍ長さ２５０ｍｍの腕用ストッパー付き伸縮自在ポル１の両端にボールジョイント８、８を介してそれぞれ直径２０ｍｍ長さ２００ｍｍの腕用ポール２、２と連結し、さらに上記腕用ストッパー付き伸縮自在ポール１両端の別の位置でボールジョイント８、８を介して布製で幅８０ｍｍ長さ５００ｍｍの面ファスナーでリングを形成するように成された腕巻用ベルト３、３に連結し、上記腕用ポール２、２の当接したそれぞれの一端がボールジョイント８、８を介して直径２０ｍｍ、伸縮時の一番短い全体長さ３５０ｍｍの中間ポール７の外径２０ｍｍ内径１５．６ｍｍ長さ１９０ｍｍ上パイプ７２先端にあるキャップ７４に付された回転自在金具７５と連結され、上記使用者が装着する両太腿用部材は直径２０ｍｍ長さ２５０ｍｍの太腿用ストッパー付き伸縮自在ポール４の両端にボールジョイント８、８を介してそれぞれ直径２０ｍｍ長さ２００ｍｍの太腿用ポール５、５と連結し、さらに上記太腿用ストッパー付き伸縮自在ポール４両端の別の位置でボールジョイント８、８を介して布製で幅１５０ｍｍ長さ７００ｍｍの面ファスナーでリングを形成するようになされた太腿巻用ベルト６、６に連結し上記太腿用ポール５、５の当接したそれぞれの一端ずつがボールジョイント８、８を介して中間ポール７の直径２０ｍｍ内径１５．６ｍｍ長さ１００ｍｍの下パイプ７３に付されたキャップ７４の一端と連結され、上記下パイプ７３の上端に挿入されたシャフト７１の自は在部分の長さを所望の位置で調節して固定するストッパーが設けられ、上記中間ポール７は一本の外径１４ｍｍ長さ２５０ｍｍのシャフト７１の上下にそれぞれ外側から上パイプ７２と下パイプ７３が挿入され全体が構成されている。
【実施例３】
【００１５】図２−１は中間ポール７のシャフト７１には上部周面を上下一周にわたる底面に凹凸のある無端の細長い幅６ｍｍ深さ４ｍｍの溝７６が穿たれており、上記溝７６内にはめ込まれた真鍮製で直径５ｍｍの球７７は上記上パイプ７２の一部に設けられた穴に外径１２ｍｍ内径６ｍｍ深さ２ｍｍ全体長さ５ｍｍの筒状で先端に底面のある押えキャップ７８が外側からはめ込まれ保持されているところを部分断面図で示している。
【実施例４】
【００１６】図２−２は中間ポール７上パイプに挿入されているシャフト７１の上部周面を上下一周にわたる底面に凹凸のある無端の細長い溝７６が穿たれているところを部分拡大図で示している。
【実施例５】
【００１７】図３▲１▼は使用者が上記腕巻用ベルト３を両腕に、太腿巻用ベルト６を両太腿に装着し上記各部材それぞれと中間ポール７下部パイプ７３の上端に挿入されたシャフト７１自在部を体に合わせ調節しそれぞれのストッパーで固定の後ゴルフクラブを握りゴルフスイング始動前の構え。
図３▲２▼は使用者がゴルフスイングに入り腰の軸を中心とした上半身と下半身の捻転によりバックスイングからトップの位置に移るとストッパー付伸縮自在ポール１と腕用ポール２、２で両前腕は三角形を保ちながら右肘をたたみゴルフクラブは地面とほぼ平行に上記使用者の頭の後方上の位置にあり、ゴルフクラブを握った両手は右肩の上で止まる姿勢となり両腕用部材、両太腿部材、中間ポール７が連携されそれぞれの接続部はボールジョイント８、８、８、８、８、８、８、８、８、８、８、８を介し自在に動き上記中間ポール７は上記図２−１及び図２−２で示すようにシャフト７１の溝７６内を球７７が転がることでパイプ７２が同時に回転しシャフト７１が上下に伸縮運動を起こし伸びきった状態のゴルフスイング途中の姿勢。
図３▲３▼は上記図３▲２▼の姿勢からゴルフクラブを振り下ろしゴルフボールを打った後左肩にゴルフクラブが巻きつきフィニシュの状態で中間ポール７は上記図３▲２▼の説明と同じく伸びきった姿勢。
【実施例６】
【００１８】回転自在金具７５及び球７７以外の使用材質は塩ビ樹脂の他軽金属、カーボン等加工が可能な物であれば特定はしない。
【産業上の利用可能性】
【００１９】本発明のゴルフスイング矯正具を使用者が装着し、ゴルフスイングを行うと腰の軸を中心とした上半身と下半身の捻転による連動を腕用部材と太腿用部材が中間ポール７にそれぞれ連携し、上パイプ７２に挿入されたシャフト７１の溝７６内を球７７が転がることで、同時に上記上パイプ７２が回転しシャフト７１が上下に伸縮運動を起こすことにより、バックスイングからトップの位置へ、次にゴルフボールを打ち終えフィニッシュまで、上記腰の軸を中心にした上半身と下半身の捻転つくり、その捻転を解きゴルフクラブを振りぬくことができないと上記シャフト７１の溝７６内を転がる球７７が止まり体の動きに制限が加わるためスムースなゴルフスイングができない構造になっている。この特徴を生かしゴルフの練習時使用者が本考案のゴルフスイング矯正具を装着し繰り返し機械が動くようにゴルフスイングの反復練習を実施すれば短期間に適正なゴルフスイングを体に覚えさせることでゴルフスイング矯正具としての役目を果たしゴルフ練習場での便宜が向上する。
【図面の簡単な説明】
【００２０】
【図１】本発明のゴルフスイング矯正具の実施を示す説明図である。
【図２−１】本発明の中間ポール７上パイプ７２部の部分断面図である。
【図２−２】本発明の中間ポール７上パイプ７２に挿入されているシャフト７１上部周面を上下一周にわたる底面に凹凸のある無端の溝７６が穿たれたところを示す部分拡大図である。
【図３】本発明のゴルフスイング矯正具を使用者が装着してゴルフスイングの始動から終了までのそれぞれの動きを▲１▼▲２▼▲３▼の順番に並べた姿図である。
【符号の説明】
【００２１】１    腕用ストッパー付き伸縮ポール
２    腕用ポール
３    腕巻用ベルト
４    太腿用ストッパー付き伸縮ポール
５    太腿用ポール
６    太腿巻用ベルト
７    中間ポール
７１  シャフト
７２  上パイプ
７３  下パイプ
７４  キャップ
７５  回転自在金具
７６  溝
７７  球
７８  押えキャップ
７９  ストッパー
８    ボールジョイント
【図１】
2006263429.tif 000003
【図２−１】
2006263429.tif 000004
【図２−２】
2006263429.tif 000005
【図３】
2006263429.tif 000006